(57)【要約】【課題】  従来のデジタルビデオカメラにおいて撮影を行う際に、被写体自身が撮影範囲内に入っているかどうかや、ズームによる撮影状態を判断することが出来ず、撮影者自身が撮像装置を操作して被写体を撮影範囲内に捉えるか被写体に対して範囲内に入るように誘導する必要があった。【解決手段】  本発明はデジタルビデオカメラにおいて被写体に対して撮影範囲や撮像装置のズーム状態を知らせることにより的確な状態で撮影可能な撮像装置を提供出来る。【選択図】  図１
2007164081.tif 000002
【特許請求の範囲】
【請求項１】
被写体へ対して発する点光源を有することと
上記点光源を撮像装置のズーム位置に連動し前後方向へ移動する機構を有することと
撮像装置の撮影範囲からのみ点光源が見えるようにする遮光板を有することを
特徴とする撮像装置。
【請求項２】
請求項１に記載の撮像装置において
レンズのズーム位置を点光源が赤色の時はズーム端であることを示し、
点光源が緑色の時はワイド端であるということを被写体に対して示すことを
特徴とする撮像装置。
【請求項３】
請求項１又は請求項２に記載の撮像装置において
レンズのズーム位置をＬＥＤインジケータで被写体に対して示すことを
特徴とする撮像装置。
【発明の詳細な説明】
【技術分野】
【０００１】
本発明は撮像装置における撮影環境の最適化に関する。
【背景技術】
【０００２】
従来のデジタルビデオカメラにおいて撮影を行う際には、被写体が撮影範囲内に入っているかどうかを被写体側からは知ることは出来なかった。
【０００３】
また、デジタルビデオカメラのズーム状態も知ることが出来なかった。（特許文献１）
【特許文献１】特開平１１−１０２００２
【発明の開示】
【発明が解決しようとする課題】
【０００４】
上記従来の背景技術では人物撮影の際に被写体自身が撮影範囲内に入っているか判断することが出来ず撮影者自身が撮像装置を操作して被写体を撮影範囲内に捉えるか被写体に対して範囲内に入るように誘導する必要があり、また、被写体からズーム状態も判別出来ないため被写体自身でどのような行動を取ればよいか判断できないという課題があった。
【０００５】
本発明はデジタルビデオカメラにおいて被写体に対して撮影範囲や撮像装置のズーム状態を知らせることにより的確な状態で撮影可能な撮像装置を提供することを目的とする。
【課題を解決するための手段】
【０００６】
前述の課題を解決するため本発明のデジタルビデオカメラは
被写体へ対して発する点光源を有することと
上記点光源を撮像装置のズーム位置に連動し前後方向へ移動する機構を有することと
撮像装置の撮影範囲からのみ点光源が見えるようにする遮光板を有することを
特徴とするデジタルビデオカメラである。
【０００７】
また、上記デジタルビデオカメラにおいて
点光源の色が複数の色で構成されることと
その点光源の色が赤色の時にレンズのズーム位置がズーム端であることを示すことと
点光源の色が緑色の時にレンズのズーム位置がワイド端であることを示すことを
特徴とするデジタルビデオカメラでもある。
【０００８】
また、上記デジタルビデオカメラにおいて
レンズのズーム位置を示すＬＥＤインジケータを有することを
特徴とするデジタルビデオカメラでもある。
【０００９】
以上の事により、
被写体に対して撮影範囲と撮像装置のズーム状態を知らせることが可能になり
的確な状態で撮影可能な撮像装置を提供することが出来る。
【発明の効果】
【００１０】
本願に記載した発明によれば被写体へ対して撮影範囲を知らせることにより、被写体自身で撮影範囲に入っているかどうか判断することが可能になり、デジタルビデオカメラのズーム位置を点光源の色で被写体に示すことにより被写体自身がどのような撮影状態になっているかを色で判断することが可能になり、デジタルビデオカメラのズーム位置をＬＥＤインジケータで被写体に示すことにより被写体自身がどのような撮影状態になっているかをインジケータの位置で判断することが可能になり、ユーザーに有益なデジタルビデオカメラを構築することが可能となる。
【発明を実施するための最良の形態】
【００１１】
次に、本発明の詳細を実施例の記述に従って説明する。
【実施例１】
【００１２】
図１は本発明の請求項１の実施形態を最もよく表す図面であり、同図において１はデジタルビデオカメラであり、２の撮影範囲伝達装置によって被写体へ撮影範囲を知らせることができる。
【００１３】
４はズームレンズであり、撮影時にレンズをズーム動作させるのと２の撮影範囲伝達装置とが連動して被写体へ撮影範囲を知らせる。
【００１４】
また、図２も本発明の請求項１の実施形態を最もよく表す図面であり、図１の撮影範囲伝達装置を拡大して説明する図である。
【００１５】
１１は点光源発光装置であり、この光源を被写体が見ることができれば被写体は撮影範囲に入っているということになる。１２は点光源位置駆動であり、１１の位置を前後方向に４のズームレンズと同期して駆動させるものである。１３は点光源遮光装置であり、点光源を撮影範囲外の被写体から見えないように遮光するためのものである。
【００１６】
また、図３も本発明の請求項１の実施形態を最もよく表す図面であり、図１、図２の構成を説明する図である。
【００１７】
２０はデジタルテープレコーダーであり、２１のデジタルシグナルプロセッサーから映像データを受け取りテープメディアに記録し、また２３のマイコンと通信を行い制御される。
【００１８】
２１はデジタルシグナルプロセッサーであり２３と通信を行い、２３からのコマンドによって２４からの映像データの処理をおこない、２２のLCDパネル画面に対して映像信号を出力し映像の表示を行なったり、テープ撮影モード時には２０に対して映像データを記録させるたり、２６に対してズーム駆動させたりをする。
【００１９】
２２はＬＣＤパネル画面であり、２３と通信を行い画面に２１からの映像信号を表示する。
【００２０】
２３はマイコンであり、２０と通信を行い映像の記録を行い、２１に対して通信を行い映像データ処理を行わせて、２２に対して通信を行い映像を表示させたりする。
【００２１】
２４はＣＣＤカメラであり、撮影時に撮影した映像データを２１へと送り出す。
【００２２】
２５はフラッシュメモリであり、２１によって２５に記録されているプログラムが読み出される。
【００２３】
２６はズームレンズであり、２１によってズーム駆動することにより撮影映像をズームさせることができる。
【００２４】
２７は撮影範囲伝達装置であり、２３によって点光源を発光させる。
【００２５】
２８は点光源駆動モータであり、２３によって２６のズーム位置に同期して２７の点光源の位置を前後に移動させる。
【００２６】
３０は電源であり１３によって電力を供給したり切断したりする。
【００２７】
３１はバッテリーであり３０に対して電力の供給を行う。
【００２８】
以上の構成をなすことにより、被写体に対して撮影範囲を知らせることが可能になり的確な状態で撮影可能なデジタルビデオカメラを提供することが可能となる。
【実施例２】
【００２９】
図１は本発明の請求項２の実施形態を最もよく表す図面であり、同図において１はデジタルビデオカメラであり、２の撮影範囲伝達装置によって被写体へ撮影範囲を知らせることができる。
【００３０】
また２の撮影範囲伝達装置の発光色によって４のズームレンズのズーム状態を被写体へ知らせることができる
４はズームレンズであり、撮影時にレンズをズーム動作させるのと２の撮影範囲伝達装置とが連動して被写体へ撮影範囲を知らせる。
【００３１】
また、図２も本発明の請求項２の実施形態を最もよく表す図面であり、図１の撮影範囲伝達装置を拡大して説明する図である。
【００３２】
１１は点光源発光装置であり、この光源を被写体が見ることが出来れば被写体は撮影範囲に入っているということになり、また点光源の発光色によってズームレンズのズーム位置を被写体が知ることができる。
【００３３】
１２は点光源位置駆動であり、１１の位置を前後方向に４のズームレンズと同期して駆動させるものである。１３は点光源遮光装置であり、点光源を撮影範囲外の被写体から見えないように遮光するためのものである。
【００３４】
また、図３も本発明の請求項２の実施形態を最もよく表す図面であり、図１、図２の構成を説明する図である。
【００３５】
２０はデジタルテープレコーダーであり、２１のデジタルシグナルプロセッサーから映像データを受け取りテープメディアに記録し、また２３のマイコンと通信を行い制御される。
【００３６】
２１はデジタルシグナルプロセッサーであり２３と通信を行い、２３からのコマンドによって２４からの映像データの処理をおこない、２２のLCDパネル画面に対して映像信号を出力し映像の表示を行なったり、テープ撮影モード時には２０に対して映像データを記録させるたり、２６に対してズーム駆動させたりをする。
【００３７】
２２はＬＣＤパネル画面であり、２３と通信を行い画面に２１からの映像信号を表示する。
【００３８】
２３はマイコンであり、２０と通信を行い映像の記録を行い、２１に対して通信を行い映像データ処理を行わせて、２２に対して通信を行い映像を表示させたりする。
【００３９】
２４はＣＣＤカメラであり、撮影時に撮影した映像データを２１へと送り出す。
【００４０】
２５はフラッシュメモリであり、２１によって２５に記録されているプログラムが読み出される。
【００４１】
２６はズームレンズであり、２１によってズーム駆動することにより撮影映像をズームさせることができる。
【００４２】
２７は撮影範囲伝達装置であり、２３によって点光源をズーム位置にしたがった色に発光させる。
【００４３】
２８は点光源駆動モータであり、２３によって２６のズーム位置に同期して２７の点光源の位置を前後に移動させる。
【００４４】
３０は電源であり１３によって電力を供給したり切断したりする。
【００４５】
３１はバッテリーであり３０に対して電力の供給を行う。
【００４６】
以上の構成をなすことにより、被写体に対して撮影範囲とズーム状態を知らせることが可能になり、的確な状態で撮影可能なデジタルビデオカメラを提供することが可能となる。
【実施例３】
【００４７】
図１は本発明の請求項３の実施形態を最もよく表す図面であり、同図において１はデジタルビデオカメラであり、２の撮影範囲伝達装置によって被写体へ撮影範囲を知らせることができる。
【００４８】
３はＬＥＤインジケータであり、４のズームレンズのズーム状態を被写体へ知らせることができる。
【００４９】
４はズームレンズであり、撮影時にレンズをズーム動作させるのと２の撮影範囲伝達装置とが連動して被写体へ撮影範囲を知らせる。
【００５０】
また、図２も本発明の請求項３の実施形態を最もよく表す図面であり、図１の撮影範囲伝達装置を拡大して説明する図である。
【００５１】
１１は点光源発光装置であり、この光源を被写体が見ることが出来れば被写体は撮影範囲に入っているということになる。
【００５２】
１２は点光源位置駆動であり、１１の位置を前後方向に４のズームレンズと同期して駆動させるものである。１３は点光源遮光装置であり、点光源を撮影範囲外の被写体から見えないように遮光するためのものである。
【００５３】
１４はＬＥＤインジケータであり、インジケータの発光位置によってズームレンズのズーム位置を被写体が知ることができる。
【００５４】
また、図３も本発明の請求項３の実施形態を最もよく表す図面であり、図１、図２の構成を説明する図である。
【００５５】
２０はデジタルテープレコーダーであり、２１のデジタルシグナルプロセッサーから映像データを受け取りテープメディアに記録し、また２３のマイコンと通信を行い制御される。
【００５６】
２１はデジタルシグナルプロセッサーであり２３と通信を行い、２３からのコマンドによって２４からの映像データの処理をおこない、２２のLCDパネル画面に対して映像信号を出力し映像の表示を行なったり、テープ撮影モード時には２０に対して映像データを記録させるたり、２６に対してズーム駆動させたりをする。
【００５７】
２２はＬＣＤパネル画面であり、２３と通信を行い画面に２１からの映像信号を表示する。
【００５８】
２３はマイコンであり、２０と通信を行い映像の記録を行い、２１に対して通信を行い映像データ処理を行わせて、２２に対して通信を行い映像を表示させたりする。
【００５９】
２４はＣＣＤカメラであり、撮影時に撮影した映像データを２１へと送り出す。
【００６０】
２５はフラッシュメモリであり、２１によって２５に記録されているプログラムが読み出される。
【００６１】
２６はズームレンズであり、２１によってズーム駆動することにより撮影映像をズームさせることができる。
【００６２】
２７は撮影範囲伝達装置であり、２３によって点光源を発光させる。
【００６３】
２８は点光源駆動モータであり、２３によって２６のズーム位置に同期して２７の点光源の位置を前後に移動させる。
【００６４】
２９はＬＥＤインジケータであり、２３によって２６のズーム位置にしたがった位置までＬＥＤを発光させる。
【００６５】
３０は電源であり１３によって電力を供給したり切断したりする。
【００６６】
３１はバッテリーであり３０に対して電力の供給を行う。
【００６７】
以上の構成をなすことにより、被写体に対して撮影範囲とズーム状態を知らせることが可能になり、的確な状態で撮影可能なデジタルビデオカメラを提供することが可能となる。
【図面の簡単な説明】
【００６８】
【図１】本発明の実施形態の概観を説明する図である。
【図２】本発明の実施形態の構成を説明する図である。
【図３】本発明の実施形態の構成を説明する図である。
【符号の説明】
【００６９】
１  デジタルビデオカメラ
２  撮影範囲伝達装置
３  ＬＥＤインジケータ
４  ズームレンズ
１１  点光源発光装置
１２  点光源位置駆動装置
１３  点光源遮光板
１４  ＬＥＤインジケータ
２０  デジタルビデオテープレコーダー
２１  デジタルシグナルプロセッサー
２２  表示器
２３  マイコン
２４  ＣＣＤカメラ
２５  フラッシュメモリー
２６  ズームレンズ
２７  撮影範囲伝達装置
２８  点光源駆動モータ
２９  ＬＥＤインジケータ
３０  電源
３１  バッテリー
【図１】
2007164081.tif 000003
【図２】
2007164081.tif 000004
【図３】
2007164081.tif 000005